(57)【特許請求の範囲】
【請求項１】
先端側面と後端側面とを備えた螺子山を有する第１螺子が外周に形成された先端側部と、
該先端側部と同軸状に連続し且つ先端側面と後端側面とを備えた螺子山を有する第２螺子が外周に形成された後端側部と、
上記先端側部と上記後端側部との間に、螺子山が形成されていない外周面を有する中間部とを有し、
上記先端側部の第１螺子は、単条螺子の螺子山で構成されるとともに上記先端側面が上記先端側部および上記後端側部の軸線に対して略直交し、
上記後端側部の第２螺子は、多条螺子の螺子山で構成されるとともに上記後端側面が上記先端側部および上記後端側部の軸線に対して略直交することを特徴とする人工歯根。
【請求項２】
上記第１螺子の螺子高さが、上記第２螺子の螺子高さよりも大きいことを特徴とする請求項１記載の人工歯根。
【発明の詳細な説明】
【０００１】
【発明の属する技術分野】
本発明は、人工歯根、特に即時荷重の機能を有する人工歯根に関するものである。
【０００２】
【従来の技術】
従来から、骨内に埋入する部分の外周に螺子が形成され、骨と強固に固定することを図った人工歯根が用いられている。
【０００３】
かかる人工歯根は、顎骨の海綿骨部分（奥側）に当接する先端側部と顎骨の皮質骨部分（表面側）に当接する後端側部とで同一ピッチ、同一断面形状の螺子が形成されたものであった。なお、螺子の断面形状は中央が外方に突出し、螺子山の表面が人工歯根の軸線に対してテーパー状に形成されたものであった。
【０００４】
【発明が解決しようとする課題】
しかしながら、上記従来の人工歯根は、硬い皮質骨側で大きな固定力を得るための工夫が施されておらず、骨と人工歯根との固定力の点で改善の余地があった。
【０００５】
また、上記人工歯根は、螺子の断面形状が中央が外方に突出し、螺子山の表面が人工歯根の軸線に対してテーパー状に形成されたものであったため、人工歯根の埋入初期に人工歯根の沈み込みや浮き上がりを引き起こすことがあった。
【０００６】
すなわち、先端側部における螺子山の先端側面が人工歯根の軸線に対してテーパー状であったので噛合荷重が人工歯根の先端部に伝わりやすく、先端部において先端方向への荷重が大きくって沈みこみが発生し易くなる恐れがあった。
【０００７】
他方、抜歯創における皮質骨の骨縁部は埋入直後、すう疎な状態となっていることが多く、したがって、この部分は人工歯根の後端側への引っ張り応力に弱い状態となっている。このとき、後端側部における螺子山の後端側面がテーパー状であったので、埋入初期に、螺子山の後端側面が対面する骨を潰して、人工歯根が後端側方向に抜けてしまう恐れがあった。
【０００８】
これら従来技術の課題に鑑み、本発明では人工歯根の埋入初期に人工歯根の沈み込みや浮き上がりを防止し、また、骨への固定力を大きくすることを目的とする。
【０００９】
【課題を解決するための手段】
上記課題を解決するため、人工歯根は、先端側面と後端側面とを備えた螺子山を有する第１螺子が外周に形成された先端側部と、該先端側部と同軸状に連続し且つ先端側面と後端側面とを備えた螺子山を有する第２螺子が形成された後端側部と、上記先端側部と上記後端側部との間に、螺子山が形成されていない外周面を有する中間部とを有し、上記先端側部の第１螺子は、単条螺子の螺子山で構成されるとともに上記先端側面が上記先端側部および上記後端側部の軸線に対して略直交し、上記後端側部の第２螺子は、多条螺子の螺子山で構成されるとともに上記後端側面が上記先端側部および上記後端側部の軸線に対して略直交することを特徴とする。
【００１０】
かかる構成によれば、上記先端側部は螺子山を構成する先端側面が人工歯根の軸線に対して略直交方向に形成されたことにより、噛合荷重を平均的に逃がし、人工歯根の沈み込みを防ぐことができる。
【００１１】
他方、上記後端側部は螺子山を構成する後端側面が人工歯根の軸線に対して略直交することにより埋入直後の浮き上がりを防止することができる。
【００１３】
上記後端側部の第２螺子を多条螺子としたことにより、硬い皮質骨にあたる後端側部の固定力を上げることによって、人工歯根全体の骨への固定力を飛躍的に高めることができる。
また、ある実施態様においては、上記第１螺子の螺子高さが、上記第２螺子の螺子高さよりも大きいことを特徴とする。
【００１４】
【発明の実施の形態】
以下、本発明の実施形態例を図によって説明する。
【００１５】
図１〜図３は本実施形態の人工歯根を示し、これらの図において符号１は人工歯根、２は後端側部、３は先端側部、４は第２螺子、５は第１螺子である。
【００１６】
図１〜図３に示す人工歯根１は、本発明の一実施形態による人工歯根１である。
【００１７】
この人工歯根１は、外周にセルフタップ式の第１螺子５が形成された先端側部３と、該先端側部３から同軸状に連続し且つその外周にセルフタップ式の第２螺子４が形成された後端側部２とを有する。また、図２に示すように、上記先端側部３の第１螺子５は螺子山を構成する先端側面５ａが人工歯根１の軸線Ｌ（図１参照）に対して略直交方向に形成され、図３に示すように上記後端側部２の第２螺子４は螺子山を構成する後端側面４ａが人工歯根１の軸線Ｌに対して略直交方向に形成されている。
【００１８】
上記人工歯根１の材質としては、Ｔｉ−６Ａｌ−４Ｖ合金、純チタンなどの生体に安全な金属材が用いられる。また、その表面には陽極酸化、ハイドロキシアパタイト溶射、サンドブラスト、チタン溶射等の表面と骨との親和性を高める処理を施すことが好ましい。
【００１９】
上記先端側部２は、一方端側（図１における下側）がドーム状となっている。また、その外周に形成された上記第１螺子５は、螺子高さｄ２が後端側部３における第２螺子４の螺子高さｄ１よりも大きく設定されている。
【００２０】
上記後端側部２は、前述のように第２螺子４を有するが、そのリードは円筒条部の第１螺子５と略同一となっている。すなわち、上記第２螺子４がｎ条螺子（ｎは整数）の場合に、その１つの螺子山からｎ個目の螺子山までの距離ｗ１が、先端側部３における第１螺子５の隣接する螺子山間の距離ｗ２にほぼ等しい。
【００２１】
また、上記人工歯根１において、上記後端側部２の第２螺子４を多条螺子としたので、硬い皮質骨に螺合する後端側部２の固定力を上げることができ、これによって、人工歯根１全体の顎骨への固定力を飛躍的に高めることができる。
【００２２】
上記先端側部３は第１螺子５の螺子山を構成する先端側面５ａが人工歯根１の軸線Ｌに対して略直交方向に形成されたので、噛合荷重を平均的に逃がし、人工歯根１の沈み込みを防ぐことができる。これは、螺子山の先端側面５ａがテーパー状であると上記噛合荷重が人工歯根１の先端部に伝わりやすく、先端部において先端方向への荷重が大きくなって沈みこみ易くなるところ、上記のような構成により、噛合荷重を水平な面で吸収することができるためである。
【００２３】
他方、上記後端側部２は第２螺子４の螺子山を構成する後端側面４ａが人工歯根１の軸線Ｌに対して略直交方向に形成されていることにより、また、埋入直後の浮き上がりを防止することができる。抜歯創における皮質骨の骨縁部Ｂ１は埋入直後、すう疎な状態となっていることが多く、したがって、この部分は人工歯根１の後端側への引っ張り応力に弱い状態となっている。このとき、螺子山の後端側面４ａが人工歯根１の軸線Ｌに対してテーパー状であると、埋入初期に、後端側面４ａが対面する骨を潰して、人工歯根１が後端側方向に抜けてしまい易くなるところ、第２螺子４の後端側面４ａを人工歯根１の軸線Ｌに対して略直交する方向に形成されているので、人工歯根１が後端側方向に抜けてしまうことを防止することができる。
【００２４】
以上、本発明の実施形態を例示したが、本発明はこれら実施形態に限定されるものではなく、発明の目的を逸脱しない限り任意の形態とすることができることは言うまでもない。
【００２５】
【発明の効果】
以上のように、本発明の人工歯根は、先端側面と後端側面とを備えた螺子山を有する第１螺子が外周に形成された先端側部と、該先端側部と同軸状に連続し且つ先端側面と後端側面とを備えた螺子山を有する第２螺子が外周に形成された後端側部とを有し、上記先端側部の第１螺子は螺子山を構成する上記先端側面が上記先端側部および上記後端側部の軸線に対して略直交し、上記後端側部の第２螺子は螺子山を構成する上記後端側面が上記先端側部および上記後端側部の軸線に対して略直交することにより、噛合荷重を平均的に逃がし、人工歯根の沈み込みを防ぐことができ、上記後端側部では埋入直後の浮き上がりを防止することができる。
【００２６】
また、上記人工歯根において、上記後端側部の第２螺子を多条螺子とした場合、硬い皮質骨であたる後端側部の固定力を上げることによって、人工歯根全体の骨への固定力を飛躍的に高めることができる。
【図面の簡単な説明】
【図１】本発明一実施形態の人工歯根の側面図である。
【図２】図１の人工歯根の先端側部に形成した第１螺子の螺子山形状を示す図１の領域Ｙの拡大断面図である。
【図３】図１の人工歯根の後端側部に形成した第２螺子の螺子山形状を示す図１の領域Ｘの拡大断面図である。
【符号の説明】
１    人工歯根
２    後端側部
３    先端側部
４    第２螺子
４ａ（第２螺子の）後端側面
５    第１螺子
５ａ（第１螺子の）先端側面
ｄ１  螺子山高さ
ｄ２  螺子山高さ
ｗ１  幅
ｗ２  幅
Ｌ    軸線
【図１】
0004351401.tif 000002
【図２】
0004351401.tif 000003
【図３】
0004351401.tif 000004